(57)【特許請求の範囲】
【請求項１】
複数の光ファイバケーブル（４）を把持するケーブル把持部（５）が設けられた連結棒（１３）と、
該連結棒に複数枚積層して設けた余長収納トレー（１４）からなるトレー積層体（３４）とが分離一体可能な二つ割り構造のスリーブ（１１，１２）内の空間（３０）に収納された光ファイバケーブル用クロージャにおいて、
前記連結棒は、板体（１５）、前記板体の一側縁に形成された側壁部（１６）、前記側壁部と対向する側縁に突出するように形成された突出壁部（１７）、前記突出壁部に設けられた中心軸（１８）を中心にして回動自在とされる蓋体（１９）、前記蓋体が係止されると共に前記側壁部から突出するように形成された係止壁部（２０）を有し、
前記板体、前記側壁部、前記突出壁部、前記蓋体、前記係止壁部は、前記光ファイバケーブルの端末に露出するテンションメンバ（６）を固定するテンションメンバ固定具（７）が設けられる間隙（３１）を形成し、
前記ケーブル把持部は、前記板体の長手方向両端に設けられ、
前記複数の余長収納トレーは、前記蓋体の上部に積層状態に設けられ、
前記テンションメンバ固定具は、前記板体の、前記ケーブル把持部より中央寄りに形成されて前記板体から傾斜部を介して前記蓋体側に膨出して形成された膨出壁部（２２）に設けられ、
分離された前記スリーブの一方の内側には、前記連結棒を収納するための連結棒収納領域（３２）が備えられ、
同他方には、外側に膨出する膨出部（３３）と、
該膨出部の内側にて前記トレー積層体を収納するためのトレー収納領域（３５）とが備えられ、
同他方は、前記スリーブの一方に対して、前記余長収納トレーが増設された前記トレー積層体の大きさに対応する前記トレー収納領域を有するものに交換して用いられることを特徴とする光ファイバケーブル用クロージャ。
【請求項２】
請求項１記載の光ファイバケーブル用クロージャにおいて、
前記トレー積層体は、前記連結棒上に積層され、
前記スリーブは、上下に分離一体可能な構成とされ、
前記連結棒上のトレー積層体を前記膨出部内に収納することを特徴とする光ファイバケーブル用クロージャ。
【請求項３】
請求項１または２記載の光ファイバケーブル用クロージャにおいて、
前記間隙は前記光ファイバケーブルから導出された光ファイバ（８）の余長を収納する余長収納部（２１）とされていることを特徴とする光ファイバケーブル用クロージャ。
【請求項４】
請求項１から３のいずれかに記載の光ファイバケーブル用クロージャにおいて、
前記余長収納トレーは、回動したときに前記間隙が露出する蓋体に設けられることを特徴とする光ファイバケーブル用クロージャ。
【請求項５】
請求項１から４のいずれかに記載の光ファイバケーブル用クロージャにおいて、
前記スリーブは、互いに大きさが異なる前記収納領域を有して設けられることを特徴とする光ファイバケーブル用クロージャ。
【請求項６】
請求項１から５のいずれかに記載の光ファイバケーブル用クロージャにおいて、
前記余長収納トレーは、層数に合わせた表示を有することを特徴とする光ファイバケーブル用クロージャ。
【発明の詳細な説明】
【０００１】
【発明の属する技術分野】
本発明は、例えば、内部に余長収納トレーを収納して、この余長収納トレーを増設するのに用いて好適な光ファイバケーブル用クロージャに関するものである。
【０００２】
【従来の技術】
一般に、光ファイバケーブルの接続部においては、中継用のクロージャが介装されており、このクロージャ内で光ファイバはケーブルから引き出され、余長部分を設けた状態で光ファイバ同士が接続されている。
図５に、従来の光ファイバケーブル用クロージャの一例を示す。
この図において、符号１は、クロージャである。
クロージャ１は、開閉可能な円筒状の一対のスリーブ２と、スリーブ２の中心軸線と並行に配置される連結棒３と、連結棒３の長手方向両端に配置されて光ファイバケーブル４の端部を把持するケーブル把持部５と、光ファイバケーブル４の端末に露出させたテンションメンバ６を固定するテンションメンバ固定具７と、連結棒３の長手方向中央部に複数枚が多段に積層され、各光ファイバケーブル４から導出した光ファイバ８（光ファイバ心線）同士を光接続する融着接続部９および接続余長を収納する薄板状の余長収納トレー１０とを備えた構成とされている。
【０００３】
上記の構成のクロージャ１においては、スリーブ２を開くことにより、余長収納トレー１０が露出し、各余長収納トレー１０から融着接続部９および接続余長を取り出していた。
そして、接続換え等を行った後、融着接続部９および接続余長を余長トレー１０内に再収納し、スリーブ２を閉じていた。
【０００４】
【発明が解決しようとする課題】
しかしながら、上述したような従来の光ファイバケーブル用クロージャには、以下のような問題が存在する。
近年の通信回線数の増大に伴い、設置したクロージャ１内の余長収納トレー１０の数が不足し、余長収納トレー１０の増加の必要に迫られることが頻繁に発生していた。
この場合、スリーブ２は、その内部に余長収納トレー１０を増設するスペースを有していないことが多いため、この余長収納トレー１０の増加に際しては、ケーブル把持部５およびテンションメンバ固定具７による固定を解除して光ケーブル４をスリーブ２から外した後に組み付け直す必要があり、作業が繁雑で作業時間の増加となっていた。
【０００５】
また、一対のスリーブ２を両方ともより大きなものに交換する必要があるが、このスリーブ２の交換に関しては、光ファイバ心線８の必要容量に対して大きすぎるサイズのクロージャ１を選ばざるを得ないという状況が多々発生し、部品のコストアップになっていた。
さらに、狭いハンドホール内にクロージャ１を設置する場合、上記不必要に大きいクロージャは、特に問題があった。
一方、余長収納トレー１０内の接続余長の出し入れに関しても、接続余長が長いため作業が一層繁雑になっていた。
【０００６】
本発明は、以上のような点を考慮してなされたもので、デッドスペースが小さく小型化が実現可能な、また余長収納トレーの増加に容易に対応できる光ファイバケーブル用クロージャを提供することを目的とする。
【０００７】
【課題を解決するための手段】
上記の目的を達成するために本発明は、以下の構成を採用している。
請求項１記載の光ファイバケーブル用クロージャは、複数の光ファイバケーブルを把持するケーブル把持部が設けられた連結棒と、該連結棒に複数枚積層して設けた余長収納トレーからなるトレー積層体とが分離一体可能な二つ割り構造のスリーブ内の空間に収納された光ファイバケーブル用クロージャにおいて、前記連結棒は、板体、前記板体の一側縁に形成された側壁部、前記側壁部と対向する側縁に突出するように形成された突出壁部、前記突出壁部に設けられた中心軸を中心にして回動自在とされる蓋体、前記蓋体が係止されると共に前記側壁部から突出するように形成された係止壁部を有し、前記板体、前記側壁部、前記突出壁部、前記蓋体、前記係止壁部は、前記光ファイバケーブルの端末に露出するテンションメンバを固定するテンションメンバ固定具が設けられる間隙を形成し、前記ケーブル把持部は、前記板体の長手方向両端に設けられ、前記複数の余長収納トレーは、前記蓋体の上部に積層状態に設けられ、前記テンションメンバ固定具は、前記板体の、前記ケーブル把持部より中央寄りに形成されて前記板体から傾斜部を介して前記蓋体側に膨出して形成された膨出壁部に設けられ、分離された前記スリーブの一方の内側には、前記連結棒を収納するための連結棒収納領域が備えられ、同他方には、外側に膨出する膨出部と、該膨出部の内側にて前記トレー積層体を収納するためのトレー収納領域とが備えられ、同他方は、前記スリーブの一方に対して、前記余長収納トレーが増設された前記トレー積層体の大きさに対応する前記トレー収納領域を有するものに交換して用いられることを特徴とする。
【０００８】
従って、本発明の光ファイバケーブル用クロージャによれば、スリーブの一方の連結棒収納領域内に連結棒を収納して、同他方のトレー収納領域内にトレー積層体を収納することができる。
また、本発明では、余長収納トレーの増設の際も、スリーブの一方は交換することなく、増設されたトレー積層体に対応するスリーブの他方を交換すれば容易に対応できると共に光ファイバケーブルの把持解除、把持固定をすることなく容易に交換作業が行える。
【０００９】
請求項２記載の光ファイバケーブル用クロージャは、請求項１記載の光ファイバケーブル用クロージャにおいて、前記トレー積層体は、前記連結棒上に積層され、前記スリーブは、上下に分離一体可能な構成とされ、前記連結棒上のトレー積層体を前記膨出部内に収納することを特徴とする。
【００１０】
従って、本発明の光ファイバケーブル用クロージャによれば、上側のスリーブに膨出部が設けられ、該膨出部内に連結棒上のトレー積層体が収納される。
【００１１】
請求項３記載の光ファイバケーブル用クロージャは、請求項１または２記載の光ファイバケーブル用クロージャにおいて、前記間隙は前記光ファイバケーブルから導出された光ファイバの余長を収納する余長収納部とされていることを特徴とする。
【００１２】
従って、本発明の光ファイバケーブル用クロージャによれば、余長収納部に光ファイバの余長を収納できるため、余長収納トレー内の余長を短くすることができる。
請求項４記載の光ファイバケーブル用クロージャは、請求項１から３のいずれかに記載の光ファイバケーブル用クロージャにおいて、前記余長収納トレーは、回動したときに前記間隙が露出する蓋体に設けられることを特徴とする。
請求項５記載の光ファイバケーブル用クロージャは、請求項１から４のいずれかに記載の光ファイバケーブル用クロージャにおいて、前記スリーブは、互いに大きさが異なる前記収納領域を有して設けられることを特徴とする。
請求項６記載の光ファイバケーブル用クロージャは、請求項１から５のいずれかに記載の光ファイバケーブル用クロージャにおいて、前記余長収納トレーは、層数に合わせた表示を有することを特徴とする。
【００１３】
【発明の実施の形態】
以下、本発明の光ファイバケーブル用クロージャの実施の形態を、図１ないし図４を参照して説明する。
これらの図において、従来例として示した図５と同一の構成要素には同一符号を付し、その説明を省略する。
【００１４】
図１において、符号１は光ファイバケーブル用クロージャである。
クロージャ１は、上下方向に分離一体可能な二つ割り構造のスリーブ１１，１２と、これらスリーブ１１，１２内の空間３０に収納される連結棒１３と、余長収納トレー１４とから概略構成されている。
図２に示すように、スリーブ１１，１２は、これらの外周に巻回される複数の固定バンド２９によって、固定および固定解除されるものである。
【００１５】
連結棒１３は、一方のスリーブ１１に形成された連結棒収納領域３２内に収納されるものであって、板体１５と、板体１５の一側縁をＬ字状に屈曲させて形成された側壁部１６と、側壁部１６と対向する側縁に突出するように形成された突出壁部１７と、この突出壁部１７に設けられた中心軸１８を中心にして回動自在とされる蓋体１９と、蓋体１９が係止されると共に側壁部１６から突出するように形成された係止壁部２０とから構成されており、これら板体１５、側壁部１６、突出壁部１７、蓋体１９、係止壁部２０によって間隙３１が形成されている。この間隙３１は、光ファイバケーブル４から導出された光ファイバ８の余長を収納する余長収納部２１とされるものである。
また、蓋体１９の回動先端には、係合部２２が設けられており、係合部２２は、図３に示すように、係止壁部２０に形成された貫通孔２３に挿抜自在とされるものである。
【００１６】
板体１５の長手方向両端には、光ファイバケーブル４の端部を把持するケーブル把持部５が設けられ、ケーブル把持部５より中央寄りには、板体１５から膨出する膨出壁部２２が形成され、膨出壁部２２の上部にはテンションメンバ固定具７が設けられている。
これらケーブル把持部５およびテンションメンバ固定具７によって、光ファイバケーブル４とテンションメンバ６とは、スリーブ１１，１２の分割線に沿って把持固定される構成となっている。
【００１７】
他方のスリーブ１２には、外側に膨出する膨出部３３が形成されている。
膨出部３３は、トレー積層体３４の側面に沿って該トレー積層体３４を取り囲むようにして延在する側壁３６と、該側壁３６の上端部を閉塞する上部壁３７とを備えた構成とされ、これら側壁３６、上部壁３７により内部にトレー積層体３４を収納するトレー収納領域３５が形成されている。
【００１８】
トレー積層体３４は、複数枚積層された余長収納トレー１４からなるものである。
余長収納トレー１４は、連結棒１３の蓋体１９の上部に複数積層状態に設けられており、これら余長収納トレー１４の側面には、図１に示すように、その層数に合わせた数字が表示されている。
また、図４に示すように、隣接する余長収納トレー１４間には、ヒンジ機構２４が設けられている。
【００１９】
ヒンジ機構２４は、余長収納トレー１４を隣接する余長収納トレー１４に対して開閉軸線回りに開閉自在とするものであって、余長収納トレー１４の一側面に形成された支持孔構成体２５，２６と支持軸２７とから構成されている。
支持孔構成体２５は、余長収納トレー１４が積層されたときに、隣接する余長収納トレー１４の支持孔構成体２６と組合わさって前記開閉軸線と軸線を合致させた支持孔２８を構成するものである。
支持軸２７は、支持孔２８に挿抜自在とされるものであって、挿入状態において、余長収納トレー１４の開閉軸として機能して、抜出することによって余長収納トレー１４の増減を対応可能とするものである。
一方、光ファイバケーブル４から導出された光ファイバ８は、外周にゴムチューブを被冠した状態で余長収納部２１内で半周以上取り回されて余長部を設けられた後、ヒンジ機構２４近傍から余長収納トレー１４内へ導入されている。
【００２０】
上記の構成のクロージャ１の作用を以下に説明する。
最初に、余長収納トレー１４内の融着接続部９の接続切換を行う手順について説明する。
まず、固定バンド２９による固定を解除して他方のスリーブ１２を開く。
次に、側面に表示される数字を確認して所望の余長収納トレー１４を選択する。
この余長収納トレー１４は、ヒンジ機構２４により開閉自在とされるものなので、選択した余長収納トレー１４は、支持軸２７を回動軸として容易に開くことができる。
【００２１】
そして、余長収納トレー１４内の融着接続部９および光ファイバ８の接続余長を取り出して接続切換作業を行う。
このとき、余長収納トレー１４とケーブル把持部５との間には、余長収納部２１が設けられているため、余長収納トレー１４から融着接続部９および接続余長を取り出す際、光ファイバ８が突っ張ることなく円滑に作業を行えると共に、余長収納トレー１４内の接続余長が短くて済む。
【００２２】
続いて、余長収納トレー１４を増設する際の手順を説明する。
まず、上記同様、固定バンド２９による固定を解除して他方のスリーブ１２を開く。
次に、余長収納トレー１４のヒンジ機構２４のうち、支持軸２７を支持孔構成体２５，２６から軸線方向に抜出する。
これにより、この支持軸２７によって支持されていた隣接する余長収納トレー１４が分離する。
そして、増設する余長収納トレー１４をこれら分離した余長収納トレー１４間に配設した後、支持軸２７を再び支持孔構成体２５，２６によって形成される支持孔２８へ挿入することで余長収納トレー１４は増設される。
【００２３】
このとき、増設する余長収納トレー１４内に導入される光ファイバ８に対して、余長収納部２１内で余長を設けるには、連結棒１３の係合部２２を係止壁部２０に形成された貫通孔２３から抜出して、蓋体１９を中心軸１８を中心にして回動する。
これにより、余長収納部２１が露出するため支障なく光ファイバ８の余長を設けることができる。
一方、上記余長収納トレー１４の増設により他方のスリーブ１２では、このトレー積層体３４を収納しきれなくなるが、この場合、図１に示すように、増設されたトレー積層体３４の大きさに対応するトレー収納領域３５を形成する他方のスリーブ１２ａを用いることにより円滑に余長収納トレー１４を収納できる。
そして、これらのスリーブ１１，１２ａを固定バンド２９で固定して余長収納トレー１４の増設が完了する。
【００２４】
本実施の形態の光ファイバケーブル用クロージャによれば、トレー積層体３４は、該トレー積層体３４の大きさに対応する他方のスリーブ１２に収納されているので、余長収納トレー１４が増設されても、その大きさに対応する他方のスリーブ１２ａを用いることで一方のスリーブ１１を交換することなく容易に対応可能である。
また、余長収納トレー１４の側面に層数に合わせた数字が表示されているため、容易に所望の余長収納トレー１４を選択して開くことができると共に光ファイバ８の記録管理が容易に行える。
【００２５】
そして、余長収納トレー１４とケーブル把持部５との間に余長収納部２１が設けられているため、余長収納トレー１４内の接続余長が短くて済み、そのため余長部の取扱い作業が簡単になることに加えて余長収納トレー１４の小型化、即ちクロージャ１の小型化が実現可能である。
一方、ケーブル把持部５およびテンションメンバ固定具７によって、光ファイバケーブル４とテンションメンバ６とは、スリーブ１１，１２の分割線に沿って把持、固定される構成となっているため、テンションメンバ６の突出し、引き込みに対しても均衡した固定が可能となる。
【００２６】
なお、上記実施の形態において、光ファイバケーブルは二本ずつ合計四本が把持、固定される構成としたが、これに限られることなく、スリーブを交換することで、例えば三本ずつ合計六本の光ファイバケーブルが把持、固定される構成であってもよい。
【００２７】
【発明の効果】
以上説明したように、請求項１に係る光ファイバケーブル用クロージャによれば、連結棒と積層状態の余長収納トレーからなるトレー積層体とが分離一体可能な二つ割り構造のスリーブ内に収納されており、余長収納トレーと連結棒との間の間隙には光ファイバケーブルの端末に露出するテンションメンバを固定するテンションメンバ固定具が設けられ、一方のスリーブの内側には連結棒収納領域が備えられ、他方のスリーブの膨出部の内側にはトレー収納領域が備えられ、他方は、スリーブの一方に対して、増設されたトレー積層体の大きさに対応するトレー収納領域を有するものに交換して用いられる構成となっている。
これにより、余長収納トレーの増設の際も、スリーブの一方は交換することなく、増設されたトレー積層体に対応するスリーブの他方を交換すれば容易に対応できると共に光ファイバケーブルの把持解除、把持固定をすることなく容易に交換作業が行えるという優れた効果を奏する。
【００２８】
請求項２に係る光ファイバケーブル用クロージャによれば、トレー積層体は連結棒上に積層され、スリーブは上下に分離一体可能な構成とされ、連結棒上のトレー積層体を膨出部内に収納する構成とされている。
これにより、余長収納トレーの増設の際も、トレー積層体の大きさに応じた膨出部を有する上側のスリーブを交換すれば容易に対応できるという優れた効果を奏する。
【００２９】
請求項３に係る光ファイバケーブル用クロージャによれば、連結棒と余長収納トレーとの間に光ファイバの余長を収納する余長収納部が設けられる構成となっている。
これにより、余長収納トレー内の接続余長の取扱いが簡単になることに加えて余長収納トレーの小型化、即ちクロージャの小型化が可能になるという優れた効果を奏する。
請求項４に係る光ファイバケーブル用クロージャによれば、余長収納トレーを回動することで間隙を露出させることができる。
請求項５に係る光ファイバケーブル用クロージャによれば、スリーブが互いに大きさが異なる収納領域を有して設けられる構成となっている。
請求項６に係る光ファイバケーブル用クロージャによれば、余長収納トレーが層数に合わせた表示を有するので、容易に所望の余長収納トレーを選択して開くことができるとともに、光ファイバの記録管理が容易に行える。
【図面の簡単な説明】
【図１】  本発明の実施の形態を示す図であって、連結棒および余長収納トレーがスリーブ内に収納されている断面図である。
【図２】  本発明の実施の形態を示す図であって、スリーブが固定バンドにより固定されている断面図である。
【図３】  本発明の実施の形態を示す図であって、余長収納部内に光ファイバの余長が設けられている平面図である。
【図４】  余長収納トレーのヒンジ機構の要部の斜視図である。
【図５】  従来のクロージャの一例を示す断面図である。
【符号の説明】
１…クロージャ、４…光ファイバケーブル、５…ケーブル把持部、８…光ファイバ（光ファイバ心線）、１１，１２，１２ａ…スリーブ、１３…連結棒、１４…余長収納トレー、２１…余長収納部、３０…空間、３１…間隙、３２…連結棒収納領域、３３…膨出部、３４…トレー積層体、３５…トレー収納領域。
【図１】
0003892096.tif 000002
【図２】
0003892096.tif 000003
【図３】
0003892096.tif 000004
【図４】
0003892096.tif 000005
【図５】
0003892096.tif 000006